(57)【要約】【課題】カラークラスタ印刷において、印刷出力装置の処理効率をさらに向上させることが可能な技術を提供する。【解決手段】印刷制御装置は、カラー印刷出力による第１のサブジョブＪＡとモノクロ印刷出力による第２のサブジョブＪＢとに分割されるカラークラスタ印刷ジョブを、カラーＭＦＰとモノクロＭＦＰとで分担して実行するカラークラスタ印刷を制御する。印刷制御装置は、条件Ｃ１の下で、第２のサブジョブＪＢの実行前に生じる空き時間ＴＥを最小化するように、第１のサブジョブＪＡのカラーＭＦＰにおける実行順序を調整する。ここで、条件Ｃ１は、カラーＭＦＰにおける複数の印刷ジョブＪＣ１〜ＪＣ４とモノクロＭＦＰにおける複数の印刷ジョブＪＭ１〜ＪＭ４の実行順序とが初期登録状態のまま維持され且つ第１のサブジョブＪＡの直後にモノクロＭＦＰで第２のサブジョブＪＢが実行される旨の条件である。【選択図】図９
2015011654.tif 000002
【特許請求の範囲】
【請求項１】
カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置であって、
前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、
前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、
を備え、
前記印刷制御手段は、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整することを特徴とする印刷制御装置。
【請求項２】
請求項１に記載の印刷制御装置において、
前記印刷制御手段は、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力される前記カラークラスタ印刷を制御することを特徴とする印刷制御装置。
【請求項３】
請求項２に記載の印刷制御装置において、
前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする印刷制御装置。
【請求項４】
請求項１ないし請求項３のいずれかに記載の印刷制御装置において、
前記第１のカラー種類は、フルカラーであり、
前記第２のカラー種類は、モノクロであることを特徴とする印刷制御装置。
【請求項５】
請求項１ないし請求項３のいずれかに記載の印刷制御装置において、
前記第１のカラー種類は、モノクロであり、
前記第２のカラー種類は、フルカラーであることを特徴とする印刷制御装置。
【請求項６】
請求項１ないし請求項５のいずれかに記載の印刷制御装置において、
前記印刷制御手段は、前記印刷制御装置における設定内容に応じて、第１の制御モードと第２の制御モードとを切り換えて実行し、
前記第１の制御モードは、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整するモードであり、
前記第２の制御モードは、前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整するモードであることを特徴とする印刷制御装置。
【請求項７】
カラー印刷出力とモノクロ印刷出力との両カラー種類の印刷出力のうちの一方である第１のカラー種類による印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置に内蔵されたコンピュータに、
ａ）前記第１の印刷出力装置で行われるべき複数の第１の印刷ジョブと、前記第２の印刷出力装置で行われるべき複数の第２の印刷ジョブと、前記カラークラスタ印刷ジョブとを受け付けるステップと、
ｂ）前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御するステップと、
を実行させるためのプログラムであって、
前記ステップｂ）は、
ｂ−１）前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整するステップ、
を有することを特徴とするプログラム。
【請求項８】
請求項７に記載のプログラムにおいて、
前記カラークラスタ印刷においては、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力されることを特徴とするプログラム。
【請求項９】
請求項８に記載のプログラムにおいて、
前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とするプログラム。
【請求項１０】
請求項７ないし請求項９のいずれかに記載のプログラムにおいて、
前記第１のカラー種類は、フルカラーであり、
前記第２のカラー種類は、モノクロであることを特徴とするプログラム。
【請求項１１】
請求項７ないし請求項９のいずれかに記載のプログラムにおいて、
前記第１のカラー種類は、モノクロであり、
前記第２のカラー種類は、フルカラーであることを特徴とするプログラム。
【請求項１２】
印刷システムであって、
カラー印刷出力とモノクロ印刷出力との両カラー種類の印刷出力のうちの一方である第１のカラー種類の印刷出力を行うことが可能な第１の印刷出力装置と、
前記両カラー種類の印刷出力のうちの他方の第２のカラー種類の印刷出力を行うことが可能な第２の印刷出力装置と、
前記第１のカラー種類の印刷出力による第１のサブジョブと前記第２のカラー種類の印刷出力による第２のサブジョブとに分割されるカラークラスタ印刷ジョブを、前記第１の印刷出力装置と前記第２の印刷出力装置とで分担して実行するカラークラスタ印刷を制御する印刷制御装置と、
を備え、
前記印刷制御装置は、
前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、
前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、
を備え、
前記印刷制御手段は、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整することを特徴とする印刷システム。
【請求項１３】
カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置であって、
前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、
前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、
を備え、
前記印刷制御手段は、前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整することを特徴とする印刷制御装置。
【請求項１４】
請求項１３に記載の印刷制御装置において、
前記印刷制御手段は、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力される前記カラークラスタ印刷を制御することを特徴とする印刷制御装置。
【請求項１５】
請求項１４に記載の印刷制御装置において、
前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする印刷制御装置。
【請求項１６】
請求項１３ないし請求項１５のいずれかに記載の印刷制御装置において、
前記第１のカラー種類は、フルカラーであり、
前記第２のカラー種類は、モノクロであることを特徴とする印刷制御装置。
【請求項１７】
請求項１３ないし請求項１５のいずれかに記載の印刷制御装置において、
前記第１のカラー種類は、モノクロであり、
前記第２のカラー種類は、フルカラーであることを特徴とする印刷制御装置。
【請求項１８】
カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置に内蔵されたコンピュータに、
ａ）前記第１の印刷出力装置で行われるべき複数の第１の印刷ジョブと、前記第２の印刷出力装置で行われるべき複数の第２の印刷ジョブと、前記カラークラスタ印刷ジョブとを受け付けるステップと、
ｂ）前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御するステップと、
を実行させるためのプログラムであって、
前記ステップｂ）は、
ｂ−１）前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整するステップ、
を有することを特徴とするプログラム。
【請求項１９】
請求項１８に記載のプログラムにおいて、
前記カラークラスタ印刷においては、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力されることを特徴とするプログラム。
【請求項２０】
請求項１９に記載のプログラムにおいて、
前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とするプログラム。
【請求項２１】
請求項１８ないし請求項２０のいずれかに記載のプログラムにおいて、
前記第１のカラー種類は、フルカラーであり、
前記第２のカラー種類は、モノクロであることを特徴とするプログラム。
【請求項２２】
請求項１８ないし請求項２０のいずれかに記載のプログラムにおいて、
前記第１のカラー種類は、モノクロであり、
前記第２のカラー種類は、フルカラーであることを特徴とするプログラム。
【請求項２３】
印刷システムであって、
カラー印刷出力とモノクロ印刷出力との両カラー種類の印刷出力のうちの一方である第１のカラー種類の印刷出力を行うことが可能な第１の印刷出力装置と、
前記両カラー種類の印刷出力のうちの他方の第２のカラー種類の印刷出力を行うことが可能な第２の印刷出力装置と、
前記第１のカラー種類の印刷出力による第１のサブジョブと前記第２のカラー種類の印刷出力による第２のサブジョブとに分割されるカラークラスタ印刷ジョブを、前記第１の印刷出力装置と前記第２の印刷出力装置とで分担して実行するカラークラスタ印刷を制御する印刷制御装置と、
を備え、
前記印刷制御装置は、
前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、
前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、
を備え、
前記印刷制御手段は、前記第１の印刷出力装置で行われる複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整することを特徴とする印刷システム。
【発明の詳細な説明】
【技術分野】
【０００１】
本発明は、印刷制御装置、特に複数の印刷出力装置の印刷動作を制御する印刷制御装置、およびそれに関連する技術に関する。
【背景技術】
【０００２】
カラークラスタ印刷に係る印刷技術が存在する（たとえば特許文献１参照）。
【０００３】
カラークラスタ印刷においては、そのジョブ（カラークラスタ印刷ジョブ）がカラー印刷サブジョブとモノクロ印刷サブジョブとに分割され、カラークラスタ印刷ジョブが複数の印刷出力装置（たとえば、複数のＭＦＰ（マルチ・ファンクション・ペリフェラル（Multi-Functional Peripheral）））で分担されて実行される。
【０００４】
たとえば、比較的高画質のカラーＭＦＰでカラー印刷サブジョブが実行され、比較的高速なモノクロＭＦＰでモノクロ印刷サブジョブが実行される。より詳細には、カラーＭＦＰでカラー印刷サブジョブが実行されてカラー印刷サブジョブの印刷出力物であるカラー印刷出力物が生成された後に、当該カラー印刷出力物がモノクロＭＦＰのインラインフィニッシャの用紙挿入部（ペーパーインサータ等）にセットされる。その後、モノクロＭＦＰでモノクロ印刷サブジョブが実行されてモノクロ印刷ジョブの印刷出力物であるモノクロ印刷出力物が生成されるとともに、用紙挿入部を有するモノクロＭＦＰによって当該カラー印刷出力物と当該モノクロ印刷出力物とが所定のページ順序に整えられて出力される。
【先行技術文献】
【特許文献】
【０００５】
【特許文献１】特開２００７−３１０８７０号公報
【発明の概要】
【発明が解決しようとする課題】
【０００６】
しかしながら、このような印刷システムにおいて、モノクロＭＰＦに投入されている印刷ジョブの多寡等にも依存するが、カラークラスタ印刷ジョブのカラー印刷サブジョブの直後にモノクロＭＦＰでカラークラスタ印刷ジョブのモノクロ印刷サブジョブが実行される場合には、当該モノクロ印刷サブジョブの実行前に空き時間が生じることがある。大きな空き時間が生じると、モノクロＭＦＰの利用効率が低下する。
【０００７】
たとえば、図２６に示すように、４つのカラー印刷ジョブＪＣ１〜ＪＣ４がカラーＭＦＰに投入され且つ他の４つのモノクロ印刷ジョブＪＭ１〜ＪＭ４がモノクロＭＦＰに投入されている状況において、さらにカラークラスタ印刷ジョブＪＬが投入される場合を想定する。なお、図２６は、ジョブ投入時点（初期登録状態）での動作予定ＳＣ０を示す図である。また、図２７は、図２６の動作予定ＳＣ０においてカラーＭＦＰで実行される印刷ジョブの情報を表形式で示す図であり、図２８は、図２６の動作予定ＳＣ０においてモノクロＭＦＰで実行される印刷ジョブの情報を表形式で示す図である。
【０００８】
投入されたカラークラスタ印刷ジョブＪＬはカラー印刷サブジョブＪＡとモノクロ印刷サブジョブＪＢとに分割される。カラー印刷サブジョブＪＡはカラー印刷ジョブＪＣ４の次に実行され、その後にモノクロ印刷サブジョブＪＢがモノクロＭＦＰで実行される。より詳細には、カラーＭＦＰで印刷出力されたカラー印刷サブジョブＪＡの印刷出力物がカラーＭＦＰからモノクロＭＦＰにユーザによって移送された後に、モノクロＭＦＰにてモノクロ印刷サブジョブＪＢが開始され、カラー印刷サブジョブＪＡのカラー印刷出力物とモノクロ印刷サブジョブＪＢのモノクロ印刷出力物とが所定のページ順序に整えられて、モノクロＭＦＰにおいて出力される。
【０００９】
このとき、図２６に示されるように、モノクロＭＦＰにおいては、モノクロ印刷サブジョブＪＢの前（モノクロ印刷ジョブＪＭ４が終了してからモノクロ印刷サブジョブＪＢが開始されるまでの期間）には、比較的大きな空き時間が生じている。このような比較的大きな空き時間は、モノクロＭＦＰの利用効率を低下させる。
【００１０】
そこで、この発明は、カラークラスタ印刷において、印刷出力装置の処理効率をさらに向上させることが可能な技術を提供することを課題とする。
【課題を解決するための手段】
【００１１】
上記課題を解決すべく、請求項１の発明は、カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置であって、前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、を備え、前記印刷制御手段は、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整することを特徴とする。
【００１２】
請求項２の発明は、請求項１の発明に係る印刷制御装置において、前記印刷制御手段は、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力される前記カラークラスタ印刷を制御することを特徴とする。
【００１３】
請求項３の発明は、請求項２の発明に係る印刷制御装置において、前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする。
【００１４】
請求項４の発明は、請求項１ないし請求項３のいずれかの発明に係る印刷制御装置において、前記第１のカラー種類は、フルカラーであり、前記第２のカラー種類は、モノクロであることを特徴とする。
【００１５】
請求項５の発明は、請求項１ないし請求項３のいずれかの発明に係る印刷制御装置において、前記第１のカラー種類は、モノクロであり、前記第２のカラー種類は、フルカラーであることを特徴とする。
【００１６】
請求項６の発明は、請求項１ないし請求項５のいずれかの発明に係る印刷制御装置において、前記印刷制御手段は、前記印刷制御装置における設定内容に応じて、第１の制御モードと第２の制御モードとを切り換えて実行し、前記第１の制御モードは、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整するモードであり、前記第２の制御モードは、前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整するモードであることを特徴とする。
【００１７】
請求項７の発明は、カラー印刷出力とモノクロ印刷出力との両カラー種類の印刷出力のうちの一方である第１のカラー種類による印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置に内蔵されたコンピュータに、ａ）前記第１の印刷出力装置で行われるべき複数の第１の印刷ジョブと、前記第２の印刷出力装置で行われるべき複数の第２の印刷ジョブと、前記カラークラスタ印刷ジョブとを受け付けるステップと、ｂ）前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御するステップと、を実行させるためのプログラムであって、前記ステップｂ）は、ｂ−１）前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整するステップ、を有することを特徴とする。
【００１８】
請求項８の発明は、請求項７の発明に係るプログラムにおいて、前記カラークラスタ印刷においては、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力されることを特徴とする。
【００１９】
請求項９の発明は、請求項８の発明に係るプログラムにおいて、前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする。
【００２０】
請求項１０の発明は、請求項７ないし請求項９のいずれかの発明に係るプログラムにおいて、前記第１のカラー種類は、フルカラーであり、前記第２のカラー種類は、モノクロであることを特徴とする。
【００２１】
請求項１１の発明は、請求項７ないし請求項９のいずれかの発明に係るプログラムにおいて、前記第１のカラー種類は、モノクロであり、前記第２のカラー種類は、フルカラーであることを特徴とする。
【００２２】
請求項１２の発明は、印刷システムであって、カラー印刷出力とモノクロ印刷出力との両カラー種類の印刷出力のうちの一方である第１のカラー種類の印刷出力を行うことが可能な第１の印刷出力装置と、前記両カラー種類の印刷出力のうちの他方の第２のカラー種類の印刷出力を行うことが可能な第２の印刷出力装置と、前記第１のカラー種類の印刷出力による第１のサブジョブと前記第２のカラー種類の印刷出力による第２のサブジョブとに分割されるカラークラスタ印刷ジョブを、前記第１の印刷出力装置と前記第２の印刷出力装置とで分担して実行するカラークラスタ印刷を制御する印刷制御装置と、を備え、前記印刷制御装置は、前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、を備え、前記印刷制御手段は、前記第１の印刷出力装置における前記複数の第１の印刷ジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間を最小化するように、前記第１の印刷出力装置での前記第１のサブジョブの実行順序を調整することを特徴とする。
【００２３】
請求項１３の発明は、カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置であって、前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、を備え、前記印刷制御手段は、前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整することを特徴とする。
【００２４】
請求項１４の発明は、請求項１３の発明に係る印刷制御装置において、前記印刷制御手段は、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力される前記カラークラスタ印刷を制御することを特徴とする。
【００２５】
請求項１５の発明は、請求項１４の発明に係る印刷制御装置において、前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする。
【００２６】
請求項１６の発明は、請求項１３ないし請求項１５のいずれかの発明に係る印刷制御装置において、前記第１のカラー種類は、フルカラーであり、前記第２のカラー種類は、モノクロであることを特徴とする。
【００２７】
請求項１７の発明は、請求項１３ないし請求項１５のいずれかの発明に係る印刷制御装置において、前記第１のカラー種類は、モノクロであり、前記第２のカラー種類は、フルカラーであることを特徴とする。
【００２８】
請求項１８の発明は、カラー印刷出力とモノクロ印刷出力との両カラー種類の印刷出力のうちの一方である第１のカラー種類の印刷出力による第１のサブジョブと他方の第２のカラー種類の印刷出力による第２のサブジョブとに分割されるカラークラスタ印刷ジョブを、前記第１のカラー種類の印刷出力を行うことが可能な第１の印刷出力装置と前記第２のカラー種類の印刷出力を行うことが可能な第２の印刷出力装置とで分担して実行するカラークラスタ印刷を制御する印刷制御装置に内蔵されたコンピュータに、ａ）前記第１の印刷出力装置で行われるべき複数の第１の印刷ジョブと、前記第２の印刷出力装置で行われるべき複数の第２の印刷ジョブと、前記カラークラスタ印刷ジョブとを受け付けるステップと、ｂ）前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御するステップと、を実行させるためのプログラムであって、前記ステップｂ）は、ｂ−１）前記第１の印刷出力装置における前記複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整するステップ、を有することを特徴とする。
【００２９】
請求項１９の発明は、請求項１８の発明に係るプログラムにおいて、前記カラークラスタ印刷においては、前記第１の印刷出力装置で前記第１のサブジョブが実行されて前記第１のサブジョブの印刷出力物である第１の印刷出力物が生成された後に、当該第１の印刷出力物が前記第２の印刷出力装置の用紙挿入部にセットされ、前記第２の印刷出力装置で前記第２のサブジョブが実行されて前記第２のサブジョブの印刷出力物である第２の印刷出力物が生成されるとともに前記第１の印刷出力物と前記第２の印刷出力物とが所定のページ順序に整えられて前記第２の印刷出力装置によって出力されることを特徴とする。
【００３０】
請求項２０の発明は、請求項１９の発明に係るプログラムにおいて、前記第２のサブジョブの処理時間は、前記第２の印刷出力装置における印刷準備期間であって、前記第１の印刷出力物が前記第２の印刷出力装置に移送される時間と前記第１の印刷出力物が前記第２の印刷出力装置の前記用紙挿入部に配置される時間とを有する印刷準備期間を含むことを特徴とする。
【００３１】
請求項２１の発明は、請求項１８ないし請求項２０のいずれかの発明に係るプログラムにおいて、前記第１のカラー種類は、フルカラーであり、前記第２のカラー種類は、モノクロであることを特徴とする。
【００３２】
請求項２２の発明は、請求項１８ないし請求項２０のいずれかの発明に係るプログラムにおいて、前記第１のカラー種類は、モノクロであり、前記第２のカラー種類は、フルカラーであることを特徴とする。
【００３３】
請求項２３の発明は、印刷システムであって、カラー印刷出力とモノクロ印刷出力との両カラー種類の印刷出力のうちの一方である第１のカラー種類の印刷出力を行うことが可能な第１の印刷出力装置と、前記両カラー種類の印刷出力のうちの他方の第２のカラー種類の印刷出力を行うことが可能な第２の印刷出力装置と、前記第１のカラー種類の印刷出力による第１のサブジョブと前記第２のカラー種類の印刷出力による第２のサブジョブとに分割されるカラークラスタ印刷ジョブを、前記第１の印刷出力装置と前記第２の印刷出力装置とで分担して実行するカラークラスタ印刷を制御する印刷制御装置と、を備え、前記印刷制御装置は、前記第１の印刷出力装置で行われるべき複数の第１の印刷ジョブと、前記第２の印刷出力装置で行われるべき複数の第２の印刷ジョブと、前記カラークラスタ印刷ジョブとを受け付ける受付手段と、前記第１の印刷出力装置における前記第１のサブジョブおよび前記複数の第１の印刷ジョブの実行順序と、前記第２の印刷出力装置における前記第２のサブジョブおよび前記複数の第２の印刷ジョブの実行順序とを制御する印刷制御手段と、を備え、前記印刷制御手段は、前記第１の印刷出力装置で行われる複数の第１の印刷ジョブおよび前記第１のサブジョブの実行順序と前記第２の印刷出力装置における前記複数の第２の印刷ジョブの実行順序とが初期登録状態のまま維持され且つ前記第１の印刷出力装置における前記第１のサブジョブの実行直後に前記第２の印刷出力装置で前記第２のサブジョブが実行される旨の条件の下で、前記第１のサブジョブを前記複数の第１の印刷ジョブのいずれかの前あるいは後ろに配置し且つ前記第２のサブジョブを前記複数の第２の印刷ジョブのいずれかの前あるいは後ろに配置する際に前記第２のサブジョブの実行前に生じる空き時間が、前記カラークラスタ印刷ジョブの投入後に投入された特定の第２の印刷ジョブの処理時間以上である場合には、前記特定の第２の印刷ジョブを前記第２のサブジョブよりも先に前記第２の印刷出力装置で実行させるように、前記第２の印刷出力装置での前記複数の第２の印刷ジョブおよび前記第２のサブジョブの実行順序を調整することを特徴とする。
【発明の効果】
【００３４】
請求項１ないし請求項２３に記載の発明によれば、カラークラスタ印刷において、印刷出力装置の処理効率をさらに向上させることが可能である。
【図面の簡単な説明】
【００３５】
【図１】第１実施形態に係る印刷システムの構成を示す概略図である。
【図２】印刷出力装置の機能ブロックを示す図である。
【図３】印刷制御装置の機能ブロックを示す図である。
【図４】カラークラスタ印刷ジョブが分割される様子を示す図である。
【図５】カラークラスタ印刷の概要を示す図である。
【図６】カラークラスタ印刷の動作を示すフローチャートである。
【図７】ジョブ登録画面を示す図である。
【図８】モノクロＭＦＰでの印刷内容に関する各種内容を設定する設定画面を示す図である。
【図９】変更候補の動作予定を示す図である。
【図１０】カラーＭＦＰで実行される印刷ジョブの情報を表形式で示す図である。
【図１１】モノクロＭＦＰで実行される印刷ジョブの情報を表形式で示す図である。
【図１２】別の変更候補の動作予定を示す図である。
【図１３】カラーＭＦＰで実行される印刷ジョブの情報を表形式で示す図である。
【図１４】モノクロＭＦＰで実行される印刷ジョブの情報を表形式で示す図である。
【図１５】さらに別の変更候補の動作予定（最適解）を示す図である。
【図１６】カラーＭＦＰで実行される印刷ジョブの情報を表形式で示す図である。
【図１７】モノクロＭＦＰで実行される印刷ジョブの情報を表形式で示す図である。
【図１８】第２実施形態に係るスケジューリングの実行前の状態を示す図である。
【図１９】第２実施形態に係るスケジューリングの実行後の状態を示す図である。
【図２０】カラーＭＦＰで実行される印刷ジョブの情報を表形式で示す図である。
【図２１】モノクロＭＦＰで実行される印刷ジョブの情報を表形式で示す図である。
【図２２】変形例に係るスケジューリングの実行前の状態を示す図である。
【図２３】変形例に係るスケジューリングの実行後の状態を示す図である。
【図２４】印刷準備期間に関するデータを示すデータテーブルである。
【図２５】変形例に係るカラークラスタ印刷の概要を示す図である。
【図２６】ジョブ投入時点での動作予定（リスケジューリング前）を示す図である。
【図２７】カラーＭＦＰで実行される印刷ジョブの情報を表形式で示す図である。
【図２８】モノクロＭＦＰで実行される印刷ジョブの情報を表形式で示す図である。
【発明を実施するための形態】
【００３６】
以下、本発明の実施形態を図面に基づいて説明する。
【００３７】
＜１．第１実施形態＞
＜１−１．システム構成＞
図１は、本発明の第１実施形態に係る印刷システム１の構成を示す概略図である。図１に示されるように、印刷システム１は、複数の印刷出力装置１０（詳細には２つの印刷出力装置１０ａ，１０ｂ）と当該複数の印刷出力装置を制御する印刷制御装置５０とを備える。
【００３８】
各印刷出力装置１０と印刷制御装置５０とは、ネットワークＮＷを介して互いに接続される。ネットワークＮＷは、ＬＡＮ（Local Area Network）およびインターネットなどによって構成される。また、ネットワークＮＷに対する接続態様は、有線接続であってもよく、或いは無線接続であってもよい。
【００３９】
＜１−２．印刷出力装置の構成＞
図２は、印刷出力装置１０の機能ブロックを示す図である。ここでは、印刷出力装置１０として、ＭＦＰ（マルチ・ファンクション・ペリフェラル（Multi-Functional Peripheral））を例示する。図２においては、ＭＦＰ１０の機能ブロックが示されている。
【００４０】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００４１】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４２】
印刷出力部３は、印刷対象に関するデータに基づいて紙などの各種の媒体に画像を印刷出力する出力部である。
【００４３】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、印刷制御装置５０）との間で各種のデータを授受することが可能である。通信部４は、各種データを送信する送信部４ａと各種データを受信する受信部４ｂとを有する。
【００４４】
格納部５は、ハードディスクドライブ（ＨＤＤ）等の記憶装置で構成される。
【００４５】
操作部６は、ＭＦＰ１０に対する操作入力を受け付ける操作入力部６ａと、各種情報の表示出力を行う表示部６ｂとを備えている。
【００４６】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＭ１を実行することによって、各種の処理部を実現する。なお、当該プログラムＰＭ１は、ＵＳＢメモリなどの可搬性の記録媒体、あるいはネットワークＮＷ等を介してＭＦＰ１０にインストールされてもよい。
【００４７】
具体的には、図２に示すように、コントローラ９は、プログラムＰＭ１の実行により、通信制御部１１と入力制御部１２と表示制御部１３と印刷出力制御部１５とを含む各種の処理部を実現する。
【００４８】
通信制御部１１は、他の装置（印刷制御装置５０等）との間の通信動作を制御する処理部である。たとえば、通信制御部１１は、通信部４等と協働して、印刷制御装置５０からの印刷指令等を受信する。
【００４９】
表示制御部１３は、表示部６ｂにおける表示動作を制御する処理部である。表示制御部１３は、ＭＦＰ１０を操作するための操作画面等を表示部６ｂに表示させる。
【００５０】
入力制御部１２は、操作入力部６ａに対する操作入力動作を制御する制御部である。たとえば、入力制御部１２は、操作画面に対する操作入力を受け付ける動作を制御する。
【００５１】
印刷出力制御部１５は、ＭＦＰ１０における印刷出力動作を制御する制御部である。印刷出力制御部１５は、印刷制御装置５０からの操作指令および操作者による操作指示等に応じて、ＭＦＰ１０における印刷出力動作を制御する。
【００５２】
この実施形態においては、２つの印刷出力装置１０（１０ａ，１０ｂ）のうち、一方の印刷出力装置は、カラー印刷出力を行うことが可能なカラーＭＦＰ１０ａとして構成される。また、他方の印刷出力装置は、モノクロ印刷出力を行うことが可能なモノクロＭＦＰ１０ｂとして構成される。カラーＭＦＰ１０ａは、比較的高画質のカラー印刷出力（詳細にはフルカラー印刷出力）を行うことが可能であり、モノクロＭＦＰ１０ｂは、比較的高速なモノクロ印刷出力処理（詳細には、白黒印刷出力処理（グレースケール印刷出力処理を含む））等を行うことが可能である。
【００５３】
モノクロＭＦＰ１０ｂは、インラインフィニッシャを備えて構成される。このモノクロＭＦＰ１０ｂのインラインフィニッシャは、用紙挿入部（ペーパーインサータ）３１（３１ａ，３１ｂ）を有している（図１および図５参照）。より詳細には、用紙挿入部３１ａは手差し式のトレイを有し、用紙挿入部３１ｂは引き出し式のトレイを有する。この用紙挿入部３１は、当該用紙挿入部３１の手差し式トレイあるいは引き出し式トレイに載置された用紙（たとえば、後述するカラー印刷出力物）をモノクロＭＦＰ１０ｂにおける印刷出力物の搬送経路上に送出し、当該用紙を最終的な印刷出力物の所定のページ位置に挿入することが可能である。これにより、後述するように、カラーＭＦＰ１０ａで印刷出力されるページ（カラーページ）とモノクロＭＦＰ１０ｂで印刷出力されるページ（モノクロページ）とを含む複数のページで構成される印刷出力物を生成するに際して、所望のページ位置に所望のカラーページを配置することが可能である。
【００５４】
＜１−３．印刷制御装置５０の構成＞
図３は、印刷制御装置５０の機能ブロックを示す図である。
【００５５】
次に、図３を参照しながら、印刷制御装置５０の構成について説明する。
【００５６】
印刷制御装置５０は、パーソナルコンピュータなどの情報処理装置により構成される。
【００５７】
印刷制御装置５０は、図３の機能ブロック図に示すように、通信部５４、格納部５５、操作部５６およびコントローラ５９等を備えており、これらの各部を複合的に動作させることによって、各種の機能を実現する。
【００５８】
通信部５４は、ネットワークＮＷを介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、印刷制御装置５０は、所望の相手先（印刷出力装置１０等）との間で各種のデータを授受することが可能である。通信部５４は、各種データを送信する送信部５４ａと各種データを受信する受信部５４ｂとを有する。
【００５９】
格納部５５は、ハードディスクドライブ（ＨＤＤ）等の記憶装置で構成される。格納部５５には、各ＭＦＰ１０に向けて送信すべき印刷出力用のデータが一時的に格納される。
【００６０】
操作部５６は、印刷制御装置５０に対する操作入力を受け付ける操作入力部５６ａと、各種情報の表示出力を行う表示部５６ｂとを備えている。操作部５６は、各種の印刷ジョブを受け付ける受付部であるとも表現される。
【００６１】
図３のコントローラ５９は、印刷制御装置５０に内蔵され、印刷制御装置５０を統括的に制御する制御装置である。コントローラ５９は、ＣＰＵおよび各種の半導体メモリ（ＲＡＭおよびＲＯＭ）等を備える。コントローラ５９は、ＣＰＵにおいて、記憶部（半導体メモリ等）内に格納されている所定のソフトウエアプログラム（以下、単にプログラムとも称する）ＰＭ５を実行することによって、各種の処理部を実現する。なお、当該プログラムＰＭ５は、ＣＤ−ＲＯＭおよびＵＳＢメモリなどの可搬性の記録媒体、あるいはネットワークＮＷ等を介して印刷制御装置５０にインストールされるようにしてもよい。
【００６２】
コントローラ５９は、プログラムＰＭ５の実行により、通信制御部６１と入力制御部６２と表示制御部６３と印刷制御部６５とを含む各種の処理部を実現する。
【００６３】
通信制御部６１は、通信部５４等と協働して、印刷出力装置１０等との通信動作を制御する処理部である。たとえば、通信制御部６１は、通信部５４等と協働して、各印刷出力装置１０への印刷指令の送信動作等を制御する。
【００６４】
入力制御部６２は、操作入力部５６ａに対する操作入力動作を制御する制御部である。たとえば、入力制御部６２は、操作部５６と協働して、ＭＦＰ１０ａおよびモノクロＭＦＰ１０ｂで行われるべき各種の印刷ジョブ（カラー印刷ジョブＪＣ、モノクロ印刷ジョブＪＭ、およびカラークラスタ印刷ジョブＪＬを含む）に関する実行指示を受け付ける。
【００６５】
表示制御部６３は、表示部５６ｂにおける表示動作を制御する処理部である。表示制御部６３は、ジョブの受付画面等の表示動作を制御する。
【００６６】
印刷制御部６５は、印刷出力装置１０による印刷出力動作を制御する処理部である。印刷制御部６５は、カラーＭＦＰ１０ａおよびモノクロＭＦＰ１０ｂで行われるべき各種の印刷ジョブに関するスケジューリング処理等をも制御する。具体的には、印刷制御部６５は、カラーＭＦＰ１０ａにおける各種印刷ジョブ（カラー印刷サブジョブＪＡ（後述）および複数の印刷ジョブＪＣ１〜ＪＣ４（後述））の実行順序を制御する。また、印刷制御部６５は、モノクロＭＦＰ１０ｂにおける各種印刷ジョブ（モノクロ印刷サブジョブＪＢ（後述）および複数の印刷ジョブＪＭ１〜ＪＭ４（後述））の実行順序を制御する。
【００６７】
＜１−４．カラークラスタ印刷＞
＜概要＞
つぎに、カラークラスタ印刷について説明する。
【００６８】
カラークラスタ印刷においては、そのジョブ（カラークラスタ印刷ジョブ）ＪＬが、カラー印刷出力とモノクロ印刷出力との両カラー種類の印刷出力に係る２つのサブジョブに分割される。カラークラスタ印刷ジョブＪＬは、たとえば、当該両カラー種類の印刷出力のうちの一方であるカラー印刷出力によるカラー印刷サブジョブＪＡと他方のモノクロ印刷出力によるモノクロ印刷サブジョブＪＢとに分割される。そして、カラークラスタ印刷ジョブＪＬは、複数のＭＦＰ（ここでは、２台のＭＦＰ１０ａ，１０ｂ）で分担されて実行される（図４および図５参照）。たとえば、カラー印刷サブジョブＪＡはカラーＭＦＰ１０ａで実行され、モノクロ印刷サブジョブＪＢはモノクロＭＦＰ１０ｂで実行される。
【００６９】
図４においては、合計８枚のページＰＧ１〜ＰＧ８を有する印刷出力物を生成するためのカラークラスタ印刷ジョブＪＬが例示されている。図４では、このカラークラスタ印刷ジョブＪＬが、カラーページＰＧ４，ＰＧ５，ＰＧ７を印刷出力するカラー印刷サブジョブＪＡと、モノクロページＰＧ１〜ＰＧ３，ＰＧ６，ＰＧ８を印刷出力するモノクロ印刷サブジョブＪＢとに分割される様子が示されている。なお、カラークラスタ印刷ジョブＪＬは、実際には多数のページで構成されることが多いが、ここでは、簡略化のため、比較的少数（８枚）のページを印刷出力するジョブである場合を例示している。
【００７０】
本実施形態に係るカラークラスタ印刷においては、図５に示すように、まず、カラーＭＦＰ１０ａによりカラー印刷サブジョブＪＡの印刷出力物（カラー印刷出力物）が生成される。具体的には、カラーページＰＧ４，ＰＧ５，ＰＧ７が印刷出力される。
【００７１】
つぎに、当該カラー印刷出力物が操作者ＵＡによってカラーＭＦＰ１０ａからモノクロＭＦＰ１０ｂへと搬送され、モノクロＭＦＰ１０ｂの用紙挿入部３１に配置（セット）される。
【００７２】
その後、モノクロＭＦＰ１０ｂによるモノクロ印刷サブジョブＪＢの印刷出力物（モノクロ印刷出力物）が生成される。具体的には、モノクロページＰＧ１〜ＰＧ３，ＰＧ６，ＰＧ８が印刷出力される。そして、カラー印刷出力物とモノクロ印刷出力物とが所定のページ順序に整えられてモノクロＭＦＰ１０ｂによって出力される。このようなカラークラスタ印刷によれば、たとえば、モノクロページＰＧ１〜ＰＧ３、カラーページＰＧ４，ＰＧ５、モノクロページＰＧ６、カラーページＰＧ７、モノクロページＰＧ８をこの順序で有する最終的な印刷出力物（カラークラスタ印刷ジョブＪＬの印刷出力物）が得られる。
【００７３】
図６のフローチャートを参照しながら、より具体的な動作について説明する。図６は、本システム１におけるカラークラスタ印刷の動作を示すフローチャートである。
【００７４】
図６に示すように、印刷制御装置５０にカラークラスタ印刷ジョブＪＬが投入された（ステップＳ１１）後、所定のタイミングで（たとえばカラー印刷サブジョブＪＡの実行開始の１分前に）当該カラークラスタ印刷ジョブＪＬのうちのカラー印刷サブジョブＪＡの実行指令（ジョブチケット等とも称する）が印刷制御装置５０からカラーＭＦＰ１０ａへと送出される。また、カラー印刷サブジョブＪＡの実行指令の送出とともに、カラークラスタ印刷ジョブのうちのモノクロ印刷サブジョブＪＢの実行指令（ジョブチケット）が印刷制御装置５０からモノクロＭＦＰ１０ｂへと送出される。このモノクロ印刷サブジョブＪＢの実行指令には、待機指令（一時停止コマンド）が含まれる。
【００７５】
カラーＭＦＰ１０ａは、カラー印刷サブジョブＪＡの実行指令の受信後に当該カラー印刷サブジョブＪＡの実行順序が到来すると、当該カラー印刷サブジョブＪＡの実行指令の内容（ジョブチケットの内容）に従って、カラーページ（ＰＧ４，ＰＧ５，ＰＧ７）を印刷出力する（ステップＳ１２）。一方、モノクロＭＦＰ１０ｂは、モノクロ印刷サブジョブＪＢの実行指令の受信後にモノクロ印刷サブジョブＪＢの実行順序が到来すると、当該モノクロ印刷サブジョブＪＢの実行指令（ジョブチケット）に含まれる当該待機指令に基づき、モノクロ印刷サブジョブＪＢのモノクロページの印刷開始を行うことなく待機状態（一時停止状態）に遷移する。
【００７６】
カラーＭＦＰ１０ａにおけるカラー印刷サブジョブＪＡの印刷出力が終了すると、カラー印刷サブジョブＪＡの終了をカラーＭＦＰ１０ａの近くで待ち構えていた操作者ＵＡは次のような作業を行う。具体的には、操作者ＵＡは、カラーＭＦＰ１０ａによるカラー印刷サブジョブＪＡの印刷出力物（カラー印刷出力物）をカラーＭＦＰ１０ａからモノクロＭＦＰ１０ｂへと搬送し、モノクロＭＦＰ１０ｂの用紙挿入部３１に配置（セット）する（ステップＳ１３）。また、待機中のモノクロＭＦＰ１０ｂのスタートボタンが操作者ＵＡによって押下されることに応答して、モノクロ印刷サブジョブＪＢにおけるモノクロページの印刷出力処理等が開始される。
【００７７】
そして、ステップＳ１４において、モノクロＭＦＰ１０ｂによるモノクロ印刷サブジョブＪＢの印刷出力物（モノクロ印刷出力物）が生成される。具体的には、モノクロページＰＧ１〜ＰＧ３，ＰＧ６，ＰＧ８が生成される。また、このような生成動作に並行して、カラー印刷出力物とモノクロ印刷出力物とが所定のページ順序に整えられて、モノクロＭＦＰ１０ｂによってカラークラスタ印刷ジョブに係る最終的な印刷出力物が印刷出力される。
【００７８】
以下、カラークラスタ印刷を含む印刷ジョブのスケジューリング処理等について、更に詳細に説明する。
【００７９】
＜各ＭＦＰ１０ａ，１０ｂでの印刷ジョブの受付＞
カラークラスタ印刷等が実際に行われる前において、印刷システム１の操作者ＵＡは、印刷制御装置５０の表示部５６ｂに表示されたジョブ登録画面ＧＲ（図７）を用いて、各印刷ジョブ（ＪＭ１〜ＪＭ４，ＪＣ１〜ＪＣ４，ＪＬ）を実行対象ジョブとして登録する。換言すれば、各ＭＦＰ１０ａ，１０ｂで実行すべき複数の印刷ジョブが投入される。
【００８０】
なお、ここでは、図７の登録操作に先立って、カラークラスタ印刷ジョブＪＬおよびその他の複数の印刷ジョブＪＭ１〜ＪＭ４，ＪＣ１〜ＪＣ４の生成操作は別の画面等を用いて既に完了しているものとする。たとえば、カラークラスタ印刷ジョブＪＬの生成操作においては、不図示のジョブ生成画面にて印刷データの指定処理およびカラークラスタ印刷の指定処理等が行われるとともに、図８のような設定画面ＧＳが用いられる。設定画面ＧＳでは、モノクロＭＦＰ１０ｂでの印刷内容に関する諸事項が指定される。具体的には、モノクロＭＦＰ１０ｂで挿入されるカラー印刷ページのページ番号、および用紙挿入部３１の挿入先トレイ等が指定される。
【００８１】
図８では、カラークラスタ印刷ジョブＪＬの印刷データから自動的に抽出されたページ番号「４，５，７」が、挿入対象のカラーページのページ番号として自動的に指定され、印刷種類として「白紙挿入」が自動的に指定され、挿入先トレイ（給紙トレイ）として「ＰＩ（ペーパーインサータ）トレイ（手差し）上段」が指定されている。印刷動作においては、このような設定内容を反映したジョブチケット（ＭＦＰ１０ｂ向けのモノクロジョブチケット）が作成され、当該ジョブチケットがモノクロＭＦＰ１０ｂに送出される。これに応じて、モノクロ印刷サブジョブＪＢの実行時には、「ＰＩ（ペーパーインサータ）トレイ（手差し）上段」に載置された用紙（カラー印刷出力物）が、第４ページＰＧ４、第５ページＰＧ５および第７ページＰＧ７に挿入された状態で、他のモノクロページに合流する。
【００８２】
さて、図７の登録画面ＧＲは、予め作成された各印刷ジョブ（ＪＣ１，ＪＭ１，ＪＣ２，ＪＭ２，...，ＪＣ４，ＪＬ）をそれぞれ特定のカラー種類の印刷ジョブとして登録するための画面である。
【００８３】
具体的には、ジョブ登録画面ＧＲの左側の欄に列挙された複数のジョブアイコンＲＣ１〜ＲＣ９のうちの所望のアイコンを、右側の欄において列挙された３つの登録用アイコンＲＤ１〜ＲＤ３のうちのいずれかにドラッグアンドドロップすると、当該所望のアイコンに対応する印刷ジョブが特定のカラー種類の印刷ジョブとして登録される。また、各印刷ジョブのカラー種類に応じて、当該各印刷ジョブを実行すべき印刷出力装置が決定される。
【００８４】
たとえば、ジョブアイコン（印刷ジョブＪＣ１を示すアイコン）ＲＣ１が、ジョブ登録画面ＧＲ内の３つの登録用アイコンのうちのカラー印刷登録用アイコンＲＤ１にドラッグアンドドロップされると、当該ジョブアイコンＲＣ１に対応する印刷ジョブＪＣ１がカラー印刷ジョブとして登録される。また、当該カラー印刷ジョブとして登録された印刷ジョブＪＣ１はカラーＭＦＰ１０ａで行われるべき（実行されるべき）ジョブである旨が印刷制御装置５０に登録される。
【００８５】
他のジョブＪＣ２〜ＪＣ４についても同様にして登録される。
【００８６】
この結果、図２６に示すように、所要時間２分の印刷ジョブＪＣ１と所要時間３分の印刷ジョブＪＣ２と所要時間４分の印刷ジョブＪＣ３と所要時間５分の印刷ジョブＪＣ４とがこの順序でカラーＭＦＰ１０ａにて印刷されるべき旨が登録される。なお、図２７は、各印刷ジョブＪＣ１〜ＪＣ４の所要時間、印刷開始時刻および印刷終了時刻を表形式で示す図である。ここでは、便宜上、最初の印刷ジョブの印刷開始時刻が「０時００分００秒」である場合を例示している。
【００８７】
同様に、印刷ジョブ（モノクロ印刷ジョブ）ＪＭ１〜ＪＭ４がモノクロＭＦＰ１０ｂで実行されるべきジョブである旨がジョブ登録画面ＧＲを用いて印刷制御装置５０に登録される。
【００８８】
たとえば、ジョブアイコン（印刷ジョブＪＭ１を示すアイコン）ＲＣ２が、ジョブ登録画面ＧＲ内の３つの登録用アイコンのうちのモノクロ印刷登録用アイコンＲＤ２にドラッグアンドドロップされると、当該ジョブアイコンＲＣ２に対応する印刷ジョブＪＭ１がモノクロ印刷ジョブとして登録される。また、当該モノクロ印刷ジョブとして登録された印刷ジョブＪＭ１はモノクロＭＦＰ１０ｂで行われるべき（実行されるべき）ジョブである旨が印刷制御装置５０に登録される。
【００８９】
他のジョブＪＭ２〜ＪＭ４についても同様である。
【００９０】
この結果、図２６に示すように、所要時間２分の印刷ジョブＪＭ１と所要時間２分の印刷ジョブＪＭ２と所要時間３分の印刷ジョブＪＭ３と所要時間３分の印刷ジョブＪＭ４とがこの順序でモノクロＭＦＰ１０ｂにて印刷されるべき旨が登録される。なお、図２８は、各印刷ジョブＪＭ１〜ＪＭ４の所要時間、印刷開始時刻および印刷終了時刻を表形式で示す図である。
【００９１】
同様に、カラークラスタ印刷ジョブＪＬがカラークラスタ印刷として実行されるべきジョブである旨がジョブ登録画面ＧＲを用いて登録される。たとえば、ジョブ登録画面ＧＲに表示されたジョブアイコン（詳細には、カラークラスタ印刷ジョブＪＬを示す矩形状領域）ＲＣ９が、ジョブ登録画面ＧＲ内の３つの印刷種類登録用アイコンのうちのカラークラスタ印刷登録用アイコンＲＤ３にドラッグアンドドロップされる。これにより、当該ジョブアイコンに対応する印刷ジョブＪＬがカラークラスタ印刷ジョブとして印刷制御装置５０に登録される。
【００９２】
カラークラスタ印刷ジョブとして登録された印刷ジョブＪＬは、上述のようにカラー印刷サブジョブＪＡとモノクロ印刷サブジョブＪＢとに分割される。そして、カラー印刷サブジョブＪＡはカラーＭＦＰ１０ａで行われるべきである旨が登録され、モノクロ印刷サブジョブＪＢはモノクロＭＦＰ１０ｂで行われるべきである旨が登録される。
【００９３】
この結果、図２６に示すように、カラーＭＦＰ１０ａにおいて印刷ジョブＪＣ４の次にカラー印刷サブジョブＪＡが実行されるべき旨が印刷制御装置５０に登録される。また、モノクロＭＦＰ１０ｂにおいて印刷ジョブＪＭ４の次にモノクロ印刷サブジョブＪＢが実行されるべき旨が印刷制御装置５０に登録される。ただし、モノクロ印刷サブジョブＪＢはカラー印刷サブジョブＪＡの直後に実行されるものとして登録される。
【００９４】
以上のようにして、カラーＭＦＰ１０ａで行われるべき複数の印刷ジョブＪＣ１〜ＪＣ４と、モノクロＭＦＰ１０ｂで行われるべき複数の印刷ジョブＪＭ１〜ＪＭ４と、カラークラスタ印刷ジョブＪＬとがジョブ登録画面ＧＲ（図７）等を用いて受け付けられる。また、カラーＭＦＰ１０ａおよびモノクロＭＦＰ１０ｂにおける複数の印刷ジョブＪＣ１〜ＪＣ４，ＪＭ１〜ＪＭ４，ＪＬ（ＪＡ，ＪＢ）に関するスケジューリング処理が実行され、複数の印刷ジョブに関する初期状態（初期登録状態）での実行順序等が決定される。
【００９５】
＜カラークラスタ印刷の実行＞
上述のようにして、カラークラスタ印刷ジョブＪＬが登録される場合において、仮に、印刷ジョブの実行順序の変更（後述）を伴わないときには、カラークラスタ印刷ジョブＪＬは次のようにして実行される。
【００９６】
まず、図２６等に示すように、時刻Ｔ１４（００：１４：００）に、カラークラスタ印刷ジョブＪＬのうちのカラー印刷サブジョブＪＡ（所要時間１分）が開始され、当該カラー印刷サブジョブＪＡは時刻Ｔ１５に終了する。これに応じて、操作者ＵＡは、カラー印刷サブジョブＪＡの印刷出力物（カラー印刷出力物）をカラーＭＦＰ１０ａから取り出してモノクロＭＦＰ１０ｂへと搬送し、当該カラー印刷出力物をモノクロＭＦＰ１０ｂの用紙挿入部３１に配置する。その後、モノクロＭＦＰ１０ｂは、操作者ＵＡの印刷開始指示に応答して、カラークラスタ印刷ジョブＪＬのうちのモノクロ印刷サブジョブＪＢ（所要時間４分）を開始し、時刻Ｔ１９に当該モノクロ印刷サブジョブＪＢを終了する。なお、図２６等では、簡単化のため、カラー印刷出力物の移送時間等が無視できる場合を想定し、カラー印刷サブジョブＪＡの終了時刻とモノクロ印刷サブジョブＪＢの開始時刻とが同じ時刻（いずれも時刻Ｔ１５）であるとしている。
【００９７】
このような動作（詳細には、動作予定ＳＣ０）では、モノクロＭＦＰ１０ｂにおいて印刷ジョブＪＭ４の終了時刻Ｔ１０からモノクロ印刷サブジョブＪＢの開始時刻Ｔ１５までに、「空き時間」（待機期間）ＴＥが生じている。具体的には、「５分」の空き時間ＴＥが生じている。その結果、モノクロＭＦＰ１０ｂでの処理効率が低下し、モノクロＭＦＰ１０ｂにおける印刷完了が遅延する。
【００９８】
＜スケジューリング処理＞
そこで、この実施形態においては、上述のようにしてカラークラスタ印刷ジョブＪＬを含む複数の印刷ジョブが登録された後に、印刷制御装置５０（詳細には印刷制御部６５）は、これら複数の印刷ジョブに関するスケジューリング処理（再スケジューリング処理とも称する）を実行する。具体的には、印刷制御装置５０は、カラークラスタ印刷ジョブＪＬの実行順序の変更処理を行う。
【００９９】
以下、このようなスケジューリング処理について説明する。
【０１００】
具体的には、印刷制御部６５は、次のような条件Ｃ１の下で、モノクロ印刷サブジョブＪＢの実行前に生じる空き時間ＴＥを最小化するように、カラーＭＦＰ１０ａでのカラー印刷サブジョブＪＡの実行順序を調整し、ひいてはモノクロＭＦＰ１０ｂでのモノクロ印刷サブジョブＪＢの実行順序をも調整する。当該空き時間ＴＥは、カラー印刷サブジョブＪＡ（詳細にはその実行順序ないし実行位置）を複数の印刷ジョブＪＣ１〜ＪＣ４のいずれかの前あるいは後ろに配置し且つモノクロ印刷サブジョブＪＢ（詳細にはその実行順序ないし実行位置）を複数の印刷ジョブＪＭ１〜ＪＭ４のいずれかの前あるいは後ろに配置する際に、モノクロ印刷サブジョブＪＢの実行前に生じるものである。ここで、条件Ｃ１は、
（１）カラーＭＦＰ１０ａで行われるべき複数の印刷ジョブ（具体的には、カラー印刷サブジョブＪＡを除く複数の印刷ジョブＪＣ１〜ＪＣ４）の実行順序が初期登録状態のまま（受付順等のまま）維持され、且つ、
（２）モノクロＭＦＰ１０ｂで行われるべき複数の印刷ジョブ（具体的には、モノクロ印刷サブジョブＪＢを除く複数の印刷ジョブＪＭ１〜ＪＭ４）の実行順序が初期登録状態のまま（受付順等のまま）維持され、且つ、
（３）カラー印刷サブジョブＪＡの直後にモノクロＭＦＰ１０ｂでモノクロ印刷サブジョブＪＢが実行される、
旨の条件である。
【０１０１】
なお、条件Ｃ１のうち上記（１）（２）を充足することによれば、カラークラスタ印刷ジョブ以外の印刷ジョブの実行順序を初期登録状態のままで（ジョブ投入順（受付順）ないし指定順のままで）維持することが可能である。
【０１０２】
また、条件Ｃ１のうち上記（３）を充足することによれば、カラーＭＦＰ１０ａによるカラー印刷サブジョブＪＡの終了後において操作者ＵＡはカラー印刷サブジョブＪＡによるカラー印刷出力物を直ちにモノクロＭＦＰ１０ｂに搬送して載置することが可能である。
【０１０３】
仮にカラー印刷サブジョブＪＡの終了時点からモノクロ印刷サブジョブＪＢの開始時点までの間に比較的大きなタイムラグが存在する場合を想定する。この場合には、カラーＭＦＰ１０ａにてカラー印刷サブジョブＪＡの次に実行された印刷ジョブによる印刷出力物がカラー印刷サブジョブＪＡによるカラー印刷出力物の上に積層されてしまい、当該カラー印刷出力物を取り出し難くなるなど操作者ＵＡの作業性の悪化を招来することがある。また、カラー印刷サブジョブＪＡ終了時点でモノクロＭＦＰ１０ｂにおける前ジョブ（モノクロ印刷サブジョブＪＢの前のジョブ）が未だ終了していない場合には、操作者ＵＡは当該前ジョブの終了を待たなくてはならず、操作者ＵＡによる無用な待ち時間が生じてしまう。これに対して、条件Ｃ１の上記（３）を充足することによれば、これらの問題を回避ないし抑制することが可能である。
【０１０４】
この実施形態に係るスケジューリング処理においては、上述の条件Ｃ１の下で、カラーＭＦＰ１０ａで実行される多数の印刷ジョブ（カラー印刷ジョブ）におけるカラー印刷サブジョブＪＡの実行位置を変更して生成される複数の組み合わせに係る動作予定（スケジュール）を考慮する。換言すれば、カラー印刷サブジョブＪＡと、複数の印刷ジョブＪＣ１〜ＪＣ４との位置関係（実行順序）を変更する複数の組み合わせを考慮する。そして、最適解に係る組み合わせ（動作予定）が決定される。
【０１０５】
たとえば、図９の動作予定ＳＣ２と図１２の動作予定ＳＣ３と図１５の動作予定ＳＣ４とを含む複数の動作予定ＳＣを考慮する。
【０１０６】
図９の動作予定ＳＣ２は、図２６の動作予定ＳＣ０と比較すると判るように、カラー印刷サブジョブＪＡの実行位置を印刷ジョブＪＣ２の直前の位置（且つ印刷ジョブＪＣ１の直後の位置）に変更して生成されたものてある。動作予定ＳＣ２は、２分間の印刷ジョブＪＣ１、１分間のカラー印刷サブジョブＪＡ、３分間の印刷ジョブＪＣ２、４分間の印刷ジョブＪＣ３、５分間の印刷ジョブＪＣ４がこの順序でカラーＭＦＰ１０ａにて順次に（連続的に）実行されるものである。モノクロＭＦＰ１０ｂでは、カラークラスタ印刷ジョブのモノクロ印刷サブジョブＪＢの開始時刻（換言すれば、カラー印刷サブジョブＪＡの終了時刻）Ｔ３までに終了可能な印刷ジョブ（図９では印刷ジョブＪＭ１のみ）が当該モノクロ印刷サブジョブＪＢの前に配置される。
【０１０７】
図１２の動作予定ＳＣ３は、カラー印刷サブジョブＪＡの実行位置を印刷ジョブＪＣ３の直前の位置（且つ印刷ジョブＪＣ２の直後の位置）に変更して生成されたものてある。動作予定ＳＣ３は、２分間の印刷ジョブＪＣ１、３分間の印刷ジョブＪＣ２、１分間のカラー印刷サブジョブＪＡ、４分間の印刷ジョブＪＣ３、５分間の印刷ジョブＪＣ４がこの順序でカラーＭＦＰ１０ａにて順次に（連続的に）実行されるものである。モノクロＭＦＰ１０ｂでは、カラークラスタ印刷ジョブのモノクロ印刷サブジョブＪＢの開始時刻Ｔ６までに終了可能な印刷ジョブ（図１２では印刷ジョブＪＭ１，ＪＭ２のみ）が当該モノクロ印刷サブジョブＪＢの前に配置される。
【０１０８】
図１５の動作予定ＳＣ４は、カラー印刷サブジョブＪＡの実行位置を印刷ジョブＪＣ４の直前の位置（且つ印刷ジョブＪＣ３の直後の位置）に変更して生成されたものてある。動作予定ＳＣ４は、２分間の印刷ジョブＪＣ１、３分間の印刷ジョブＪＣ２、４分間の印刷ジョブＪＣ３、１分間のカラー印刷サブジョブＪＡ、５分間の印刷ジョブＪＣ４がこの順序でカラーＭＦＰ１０ａにおいて順次に（連続的に）実行されるものである。モノクロＭＦＰ１０ｂでは、カラークラスタ印刷ジョブのモノクロ印刷サブジョブＪＢの開始時刻Ｔ１０までに終了可能な印刷ジョブ（図１５では４つの印刷ジョブＪＭ１〜ＪＭ４）が当該モノクロ印刷サブジョブＪＢの前に配置される。
【０１０９】
図９の動作予定ＳＣ２においては、図１０および図１１にも示されるように、カラー印刷サブジョブＪＡの直後にモノクロ印刷サブジョブＪＢが実行されるに際して、当該モノクロ印刷サブジョブＪＢの直前に「１分」の空き時間ＴＥが生じている。換言すれば、モノクロＭＦＰ１０ｂにおいて、印刷ジョブＪＭ１の印刷終了時刻Ｔ２とモノクロ印刷サブジョブＪＢの印刷開始時刻Ｔ３との間に「１分」の空き時間ＴＥ（待ち時間）が存在する。なお、図１０は、図９の動作予定ＳＣ２において、カラーＭＦＰ１０ａで実行される印刷ジョブの情報を表形式で示す図である。また、図１１は、図９の動作予定ＳＣ２において、モノクロＭＦＰ１０ｂで実行される印刷ジョブの情報を表形式で示す図である。
【０１１０】
図１２の動作予定ＳＣ３においては、図１３および図１４にも示されるように、カラー印刷サブジョブＪＡの直後にモノクロ印刷サブジョブＪＢが実行されるに際して、当該モノクロ印刷サブジョブＪＢの直前に「２分」の空き時間ＴＥが生じている。換言すれば、モノクロＭＦＰ１０ｂにおいて、印刷ジョブＪＭ２の印刷終了時刻Ｔ４とモノクロ印刷サブジョブＪＢの印刷開始時刻Ｔ６との間に「２分」の空き時間（待ち時間）ＴＥが存在する。なお、図１３および図１４は、それぞれ、図１０および図１１と同様の図であり、図１２の動作予定ＳＣ３に関する各印刷ジョブの詳細情報を示す図である。
【０１１１】
一方、図１５の動作予定ＳＣ４においては、図１６および図１７にも示されるように、カラー印刷サブジョブＪＡの直後にモノクロ印刷サブジョブＪＢが実行されるに際して、当該モノクロ印刷サブジョブＪＢの直前に空き時間が存在しない。換言すれば、モノクロＭＦＰ１０ｂにおいて、印刷ジョブＪＭ４の印刷終了時刻Ｔ１０とモノクロ印刷サブジョブＪＢの印刷開始時刻Ｔ１０との間に空き時間（待ち時間）が存在しない。なお、図１６および図１７は、それぞれ、図１０および図１１と同様の図であり、図１５の動作予定ＳＣ４に関する各印刷ジョブの詳細情報を示す図である。
【０１１２】
このように、動作予定ＳＣ１，ＳＣ２，ＳＣ３，ＳＣ４を含む複数の動作予定の各空き時間ＴＥの中で、動作予定ＳＣ４の空き時間ＴＥは最も小さい（この場合はゼロにまで低減されている）。すなわち、動作予定に関する空き時間ＴＥが最小化されている。
【０１１３】
印刷制御部６５は、この図１５の動作予定ＳＣ４を最適な動作予定（最適解）であると判定し、スケジューリング結果として決定する。そして、このスケジューリング結果に従って、各ＭＦＰ１０ａ，１０ｂにおける印刷動作が制御される。
【０１１４】
以上のような動作によれば、印刷サブジョブＪＡの直後にモノクロ印刷サブジョブＪＢが実行されるに際して、当該モノクロ印刷サブジョブＪＢの直前の空き時間ＴＥを最小化して、モノクロＭＦＰ１０ｂにおける処理効率をさらに向上させることができる。換言すれば、モノクロＭＦＰ１０ｂにおける印刷を早期に終了させることが可能である。
【０１１５】
＜２．第２実施形態＞
上記第１実施形態においては、カラーＭＦＰ１０ａで行われるべき複数の印刷ジョブのうち、カラー印刷サブジョブＪＡの実行順序の変更を許容する態様が例示されているが、これに限定されない。たとえば、カラーＭＦＰ１０ａで行われるべき複数の印刷ジョブのうち、カラー印刷サブジョブＪＡの実行順序の変更をも許容しないようにしてもよい。そして、モノクロ印刷サブジョブＪＢの実行前に生じる空き時間ＴＥに、モノクロＭＦＰ１０ｂで実行される特定の印刷ジョブＪＭを実行させることが可能な場合（当該空き時間ＴＥが特定の印刷ジョブＪＭの実行時間以上である場合）には、当該特定の印刷ジョブＪＭがモノクロ印刷サブジョブＪＢよりも先にモノクロＭＦＰ１０ｂで実行されるようにスケジュール変更が行われる。この第２実施形態では、このような態様について例示する。
【０１１６】
より具体的には、この第２実施形態においては（条件Ｃ１に代えて）次の条件Ｃ２の下で、モノクロ印刷サブジョブＪＢの実行前に生じる空き時間ＴＥが、カラークラスタ印刷ジョブＪＬの後に投入された特定の印刷ジョブＪＭであってモノクロＭＦＰ１０ｂで実行される特定の印刷ジョブＪＭの実行時間以上であるか否かが判定される。そして、当該特定の印刷ジョブＪＭを実行させることが可能な場合（当該空き時間ＴＥが特定の印刷ジョブＪＭの実行時間以上である場合）には、当該特定の印刷ジョブＪＭがモノクロ印刷サブジョブＪＢよりも先にモノクロＭＦＰ１０ｂで実行される。
【０１１７】
ここにおいて、条件Ｃ２は、
（１）カラーＭＦＰ１０ａで行われるべき複数の印刷ジョブ（具体的には、カラー印刷サブジョブＪＡを「含む」印刷ジョブＪＣ１〜ＪＣ４，ＪＡ）の実行順序が初期登録状態のまま（受付順等のまま）維持され、且つ、
（２）モノクロＭＦＰ１０ｂで行われるべき複数の印刷ジョブ（具体的には、モノクロ印刷サブジョブＪＢを除く印刷ジョブＪＭ１〜ＪＭ４）の実行順序が初期登録状態のまま（受付順等のまま）維持され、且つ、
（３）カラー印刷サブジョブＪＡの直後にモノクロＭＦＰ１０ｂでモノクロ印刷サブジョブＪＢが実行される、
旨の条件である。
【０１１８】
図１８および図１９は、第２実施形態に係るスケジューリング処理を示す図である。図１８は、印刷ジョブＪＣ１〜ＪＣ４，ＪＭ１〜ＪＭ４，ＪＬの投入後に印刷ジョブＪＭ５がモノクロＭＦＰ１０ｂにさらに投入された直後の初期登録状態（再スケジューリング処理前）を示す図であり、図１９は、再スケジューリングの処理結果（動作予定ＳＣ１１）を示す図である。
【０１１９】
この動作予定ＳＣ１１（図１９）では、カラーＭＦＰ１０ａで行われるべき複数の印刷ジョブＪＣ１〜ＪＣ４およびカラー印刷サブジョブＪＡの実行順序は変更されない。
【０１２０】
一方、図１８と比較すると判るように、印刷ジョブＪＭ５の実行位置（実行タイミング）が変更される。
【０１２１】
具体的には、印刷ジョブＪＭ５は、その投入直後の時点では、図１８（および図１９の破線）に示されるように、モノクロＭＦＰ１０ｂにおいてモノクロ印刷サブジョブＪＢの直後に実行されるべきものとして（初期的に）登録される。
【０１２２】
ただし、この実施形態においては、印刷制御部６５は、モノクロ印刷サブジョブＪＢの後に実行するように初期配置された印刷ジョブＪＭ５を、モノクロ印刷サブジョブＪＢの実行前に生じる空き時間ＴＥに実行させることが可能な場合には、当該印刷ジョブＪＭ５を前モノクロ印刷サブジョブＪＢよりも先にモノクロＭＦＰ１０ｂで実行させる。換言すれば、モノクロ印刷サブジョブＪＢの実行前に生じる空き時間ＴＥが、カラークラスタ印刷ジョブＪＬの投入後に投入された印刷ジョブＪＭ５の処理時間以上である場合には、当該印刷ジョブＪＭ５がモノクロ印刷サブジョブＪＢよりも先にモノクロＭＦＰ１０ｂで実行される。
【０１２３】
図１８においては、空き時間ＴＥが「５分」であり且つ印刷ジョブＪＭ５の処理時間も「５分」であるため、このようなスケジュールの変更処理が行われる。具体的には、図１９に示すように、印刷ジョブＪＭ５の実行位置が、モノクロ印刷サブジョブＪＢの直後の位置から、モノクロ印刷サブジョブＪＢの直前の位置（且つ印刷ジョブＪＭ４の直後の位置）へと変更される。
【０１２４】
この動作予定ＳＣ１１においては、２分間の印刷ジョブＪＭ１、２分間の印刷ジョブＪＭ２、３分間の印刷ジョブＪＭ３、３分間の印刷ジョブＪＭ４、５分間の印刷ジョブＪＭ５、４分間のモノクロ印刷サブジョブＪＢがこの順序でモノクロＭＦＰ１０ｂにおいて順次に実行される。このように、モノクロＭＦＰ１０ｂでは、カラークラスタ印刷ジョブのモノクロ印刷サブジョブＪＢの開始時刻（換言すれば、カラー印刷サブジョブＪＡの終了時刻）Ｔ１５までに終了可能な印刷ジョブ（印刷ジョブＪＭ５を含む）が当該モノクロ印刷サブジョブＪＢの前に配置される。なお、図２０および図２１は、それぞれ、図１０および図１１と同様の図であり、図１９の動作予定ＳＣ１１に関する各印刷ジョブの詳細情報を示す図である。
【０１２５】
図１９の動作予定ＳＣ１１は、スケジュール変更処理における最適解として取得される。動作予定ＳＣ１１においても、ジョブＪＢの前の空き時間ＴＥが最小化（ここではゼロにまで低減）されている。
【０１２６】
以上のような動作によれば、カラー印刷サブジョブＪＡの直後にモノクロ印刷サブジョブＪＢが実行されるに際して、当該モノクロ印刷サブジョブＪＢの直前の空き時間ＴＥを最小化して、モノクロＭＦＰ１０ｂにおける処理効率をさらに向上させることができる。換言すれば、モノクロＭＦＰ１０ｂにおける印刷を早期に終了させることが可能である。
【０１２７】
なお、この第２実施形態に係るシステムにおいては、第１実施形態とは異なる制御動作（より詳細にはスケジュール変更処理（スケジュール調整処理））が専ら行われる場合が例示されているが、これに限定されない。たとえば、１つのシステムにおいて２つの制御動作（制御モード）が切り換えられて用いられるようにしてもよい。具体的には、第１実施形態の制御動作を実行する第１の制御モードと、第２実施形態の制御動作を実行する第２の制御モードとが、印刷制御装置５０における設定内容（操作者による設定操作（設定変更操作）を反映した設定内容等）に応じて切り換えて実行されるようにしてもよい。
【０１２８】
＜３．変形例等＞
以上、この発明の実施の形態について説明したが、この発明は上記説明した内容のものに限定されるものではない。
【０１２９】
たとえば、上記各実施形態においては、各印刷ジョブの処理時間は固定値であるとして、再スケジューリング処理が行われる場合が例示されているが、これに限定されず、各印刷ジョブの処理時間の変更（各印刷ジョブの処理遅延等）をも考慮して、動的な再スケジューリング処理が行われるようにしてもよい。
【０１３０】
図２２および図２３は、このような変形例の１つ（動的な再スケジューリング処理が第２実施形態に適用される態様）を示す図である。図２２は、印刷ジョブＪＣ１〜ＪＣ４，ＪＭ１〜ＪＭ４，ＪＬの投入後に印刷ジョブＪＭ６がモノクロＭＦＰ１０ｂにさらに投入された直後の初期登録状態（再スケジューリング処理前）を示す図であり、図２３は、再スケジューリング処理の処理結果（動作予定ＳＣ１２）を示す図である。
【０１３１】
この変形例では、図２２に示すように、（印刷ジョブＪＭ５の代わりに）モノクロ印刷ジョブＪＭ６（所要時間「６分」）がカラークラスタ印刷ジョブＪＬの投入後に追加投入されている状況を想定する。この状況において第２実施形態に示すような制御動作（制御モード）を適用する場合には、モノクロ印刷サブジョブＪＢの前の空き時間ＴＥ（５分）は印刷ジョブＪＭ６の処理時間（６分）よりも短いため、印刷ジョブＪＭ６はモノクロ印刷サブジョブＪＢよりも先に印刷されない。
【０１３２】
ここでは、その後、印刷ジョブＪＣ３の中断等に起因して印刷ジョブＪＣ４の終了時刻の遅延が発生する旨が印刷ジョブＪＣ３，ＪＭ４の実行中に判定される状況を想定する。具体的には、図２３に示すように、印刷ジョブＪＣ３の中断等に起因して印刷ジョブＪＣ３の終了時刻およびそれに引き続く印刷ジョブＪＣ４の終了時刻がそれぞれ「１分」遅延する旨が印刷ジョブＪＭ４の途中で判定される。このとき、印刷ジョブＪＣ４の終了の遅延に応じてカラー印刷サブジョブＪＡの開始および終了もそれぞれ「１分」遅延し、当該カラー印刷サブジョブＪＡに引き続くモノクロ印刷サブジョブＪＢの開始および終了もそれぞれ「１分」遅延する。このような新たな状況において、モノクロ印刷サブジョブＪＢの前に発生する空き時間ＴＥは「５分」から「６分」に増大し、当該空き時間ＴＥは印刷ジョブＪＭ６の処理時間（「６分」）以上である旨が判定される。印刷制御部６５は、このような判定結果に応じて、印刷ジョブＪＭ６をモノクロ印刷サブジョブＪＢよりも先にモノクロＭＦＰ１０ｂで実行させる。
【０１３３】
このように、各印刷ジョブの処理遅延等をも考慮して各印刷ジョブの開始時間および終了時間等を算出し、動的な再スケジューリング処理が行われるようにしてもよい。
【０１３４】
また、上記各実施形態においては、カラー印刷出力物の移送時間等のモノクロＭＦＰ１０における印刷準備期間ＴＰが無視できる場合を想定しているが、これに限定されない。たとえば、印刷準備期間ＴＰをモノクロ印刷サブジョブＪＢの処理期間の冒頭部分（先頭部分）に加えることなどによって、印刷準備期間ＴＰを考慮するようにしてもよい。
【０１３５】
換言すれば、モノクロ印刷サブジョブＪＢは、モノクロＭＦＰ１０における純粋な印刷出力期間のみを考慮したものであってもよいが、これに限定されず、当該純粋な印刷出力期間のみならずモノクロＭＦＰ１０における印刷準備期間ＴＰ等を含むものであってもよい。印刷準備期間ＴＰは、カラーＭＦＰ１０ａで出力されたカラー印刷出力物がカラーＭＦＰ１０ａからモノクロＭＦＰ１０ｂへと搬送される期間（印刷物の搬送時間）、およびカラー印刷出力物が用紙挿入部３１へ載置される期間（印刷物の載置時間）等に基づいて設定されればよい。
【０１３６】
たとえば、印刷準備期間ＴＰは、標準時間ＴＳと付加時間ＴＡとの合計値として算出されればよい。標準時間ＴＳは、カラー印刷出力物（カラー印刷サブジョブＪＡに関するカラーＭＦＰ１０ａによる印刷出力物）の搬送時間（カラーＭＦＰ１０ａとモノクロＭＦＰ１０ｂとの間の移動距離）等を考慮した値（たとえば、１８０秒）として予め定められればよい（図２４参照）。また、付加時間ＴＡは、標準時間ＴＳ以外の付加的な所要時間である。付加時間ＴＡは、用紙挿入部３１（ペーパーインサータ：ＰＩ）の種類（当該カラー印刷出力物の挿入先）等に応じて、図２４に示すように定められればよい。
【０１３７】
具体的には、図２４に示すように、このカラー印刷出力物の挿入先が手差し式トレイであり且つ当該手差し式トレイが「空」である場合には、付加時間ＴＡは最短の「１５秒」に設定されればよい。
【０１３８】
また、カラー印刷出力物の挿入先が手差し式トレイであり且つ当該手差し式トレイが「空」でなく差し替え（前ジョブにおける残用紙等の排除）を要する場合には、付加時間ＴＡは、比較的長い「４５秒」に設定されればよい。
【０１３９】
また、カラー印刷出力物の挿入先が引き出し式トレイである場合の付加時間ＴＡは、引き出し式トレイにおける引き出し部分の出し入れ等に要する時間を考慮し、カラー印刷出力物の挿入先が手差し式トレイである場合の付加時間ＴＡよりも長い時間に設定されればよい。また、引き出し式トレイの位置（上段、下段）に依拠した操作性を考慮し、付加時間ＴＡが変更されるようにしてもよい。さらに、引き出し式トレイが「空」であるか否かに応じて、付加時間ＴＡが変更されるようにしてもよい。
【０１４０】
たとえば、図２４に示されるように、カラー印刷出力物の挿入先が上段の引き出し式トレイであり且つ当該手差し式トレイが「空」である場合には、付加時間ＴＡは「６０秒」に設定されればよい。
【０１４１】
また、カラー印刷出力物の挿入先が下段の引き出し式トレイであり且つ当該手差し式トレイが「空」である場合には、付加時間ＴＡは「８０秒」に設定されればよい。
【０１４２】
また、カラー印刷出力物の挿入先が上段の引き出し式トレイであり且つ当該手差し式トレイが「空」でなく差し替えを要する場合には、付加時間ＴＡは「９０秒」に設定されればよい。
【０１４３】
また、カラー印刷出力物の挿入先が下段の引き出し式トレイであり且つ当該手差し式トレイが「空」でなく差し替えを要する場合には、付加時間ＴＡは「１１０秒」に設定されればよい。
【０１４４】
そして、印刷制御部６５は、このような付加時間ＴＡと標準時間ＴＳとを反映した印刷準備期間ＴＰ（詳細にはその長さ）を、モノクロ印刷サブジョブＪＢにおける純粋な印刷処理時間に加算してモノクロ印刷サブジョブＪＢの処理時間を算出するようにしてもよい。
【０１４５】
また、上記各実施形態においては、まずカラーＭＦＰ１０ａにてカラー印刷サブジョブが実行された後に、モノクロＭＦＰ１０ｂにてモノクロ印刷サブジョブが実行されるカラークラスタ印刷が例示されているが、これに限定されない。具体的には、カラークラスタ印刷は、逆に、図２５に示すように、モノクロＭＦＰ１０ｃにてモノクロ印刷サブジョブＪＢが実行された後に、用紙挿入部３１を有するカラーＭＦＰ１０ｄにてカラー印刷サブジョブＪＡが実行されるものであってもよい。この場合、図２５に示すように、用紙挿入部３１（３１ａ，３１ｂ）等を有するインラインフィニッシャがカラーＭＦＰ１０ｄに設けられ、カラーＭＦＰ１０ｄにてモノクロ印刷出力物とカラー印刷出力物とが所定のページ順序に整えられて出力されればよい。
【０１４６】
より詳細には、第１実施形態とは異なり、まずモノクロＭＦＰ１０ｃでモノクロ印刷サブジョブＪＢが実行されてモノクロ印刷サブジョブＪＢの印刷出力物（モノクロ印刷出力物）が生成された後に、当該モノクロ印刷出力物がカラーＭＦＰ１０ｄの用紙挿入部３１にセットされる。その後、カラーＭＦＰ１０ｄでカラー印刷サブジョブＪＡが実行されて当該カラー印刷サブジョブＪＡの印刷出力物（カラー印刷出力物）が生成され、モノクロ印刷出力物とカラー印刷出力物とが所定のページ順序に整えられてカラーＭＦＰ１０ｄによって出力される。
【０１４７】
そして、このように改変されたカラークラスタ印刷において、第１実施形態等と同様の制御動作（ただし、カラーとモノクロとを逆転させた制御動作）が行われればよい。たとえば、印刷制御装置５０は、所定の条件Ｃ３（次述）の下で、カラー印刷サブジョブＪＡの実行前に生じる空き時間ＴＥを最小化するように、モノクロＭＦＰ１０ｃでのモノクロ印刷サブジョブＪＢの実行順序とカラーＭＦＰ１０ｄでのカラー印刷サブジョブの実行順序とを調整すればよい。当該所定の条件Ｃ３は、モノクロＭＦＰ１０ｃで行われるべき複数の第１の印刷ジョブＪＭ（モノクロ印刷サブジョブＪＢを除く）の実行順序が維持され、且つ、カラーＭＦＰ１０ｄで行われるべき複数の第２の印刷ジョブＪＣ（カラー印刷サブジョブを除く）の実行順序が維持されるとともに、モノクロ印刷サブジョブＪＢの直後にカラーＭＦＰ１０ｄでカラー印刷サブジョブＪＡが実行される旨の条件である。
【０１４８】
あるいは、上記のように改変されたカラークラスタ印刷において、第２実施形態等と同様の制御動作（ただし、カラーとモノクロとを逆転させた制御動作）が行われればよい。たとえば、印刷制御装置５０は、所定の条件Ｃ４の下で、カラーＭＦＰ１０ｄでの複数の第２の印刷ジョブおよびカラー印刷サブジョブＪＡの実行順序等を調整すればよい。具体的には、カラー印刷サブジョブＪＡの実行前に生じる空き時間ＴＥが、カラークラスタ印刷ジョブＪＬの投入後に投入された特定の印刷ジョブＪＣの処理時間以上である場合には、当該特定の印刷ジョブＪＣがカラー印刷サブジョブＪＡよりも先にカラーＭＦＰ１０ｄで実行されるようにすればよい。当該所定の条件Ｃ４は、モノクロＭＦＰ１０ｃで行われるべき複数の第１の印刷ジョブＪＭおよびモノクロ印刷サブジョブＪＢの実行順序が維持され、且つ、カラーＭＦＰ１０ｄで行われるべき複数の第２の印刷ジョブＪＣ（カラー印刷サブジョブＪＡを除く）の実行順序が維持されるとともに、モノクロ印刷サブジョブＪＢの直後にカラーＭＦＰ１０ｄでカラー印刷サブジョブＪＡが実行される旨の条件である。
【０１４９】
また、上記各実施形態においては、印刷出力装置１０としてＭＦＰが例示されているが、これに限定されない。たとえば、印刷出力装置は、印刷出力機能を有する一方でＦＡＸ機能等を有しないもの等であってもよい。
【符号の説明】
【０１５０】
１  印刷システム
１０  （ＭＦＰ）印刷出力装置
１０ａ，１０ｄ  カラーＭＦＰ
１０ｂ，１０ｃ  モノクロＭＦＰ
５０  印刷制御装置
ＧＲ  ジョブ登録画面
ＪＡ  カラー印刷サブジョブ
ＪＢ  モノクロ印刷サブジョブ
ＪＣ１〜ＪＣ４  カラー印刷ジョブ
ＪＬ  カラークラスタ印刷ジョブ
ＪＭ１〜ＪＭ６  モノクロ印刷ジョブ
ＰＧ１〜ＰＧ３，ＰＧ６，ＰＧ８  モノクロページ
ＰＧ４，ＰＧ５，ＰＧ７  カラーページ
ＳＣ１〜ＳＣ４，ＳＣ１１，ＳＣ１２  動作予定
【図１】
2015011654.tif 000003
【図２】
2015011654.tif 000004
【図３】
2015011654.tif 000005
【図４】
2015011654.tif 000006
【図５】
2015011654.tif 000007
【図６】
2015011654.tif 000008
【図７】
2015011654.tif 000009
【図８】
2015011654.tif 000010
【図９】
2015011654.tif 000011
【図１０】
2015011654.tif 000012
【図１１】
2015011654.tif 000013
【図１２】
2015011654.tif 000014
【図１３】
2015011654.tif 000015
【図１４】
2015011654.tif 000016
【図１５】
2015011654.tif 000017
【図１６】
2015011654.tif 000018
【図１７】
2015011654.tif 000019
【図１８】
2015011654.tif 000020
【図１９】
2015011654.tif 000021
【図２０】
2015011654.tif 000022
【図２１】
2015011654.tif 000023
【図２２】
2015011654.tif 000024
【図２３】
2015011654.tif 000025
【図２４】
2015011654.tif 000026
【図２５】
2015011654.tif 000027
【図２６】
2015011654.tif 000028
【図２７】
2015011654.tif 000029
【図２８】
2015011654.tif 000030